(57)【要約】【課題】インターネット電子メールアドレスで受信した電子メールを単純に携帯電話へ転送する方法では、インターネット電子メールアドレスに電子メールで受信した電子メールの中に不必要なものがあっても、すべての電子メールが携帯電話に転送され、非常に煩雑であると同時に受信の度に接続料金がかかり、携帯電話使用料として請求される。【解決手段】インターネット電子メールアドレスで受信した電子メールについて、指定された時間帯の時間間隔で受信メール一覧リストとして編集し携帯電話電子メールアドレスへ電子メールにて通知する機能と受信メール一覧リスト電子メールへの返信メールで、受信メール一覧リストの中から必要とするデマンドメールの転送要求を可能とし、転送要求された電子メールをデマンドメールとして携帯電話電子メールアドレスに転送する機能を具備したソフトウェアを開発する。【選択図】　図３
2004070855.tif 000002
【特許請求の範囲】
【請求項１】
インターネットに接続された電子メールサーバ内にて稼動し、インターネットに接続され電子メールの送受信が可能な携帯電話を持つ１個人が、インターネットにて所有する１つまたは複数のインターネットサービスプロバイダや会社から与えられた電子メールアドレスにて受信した電子メールついて、１つは受信した電子メールの一覧リスト（以下、受信メール一覧リストという）を定期的に携帯電話へ通知する機能と、もう１つは通知した受信メール一覧リストの中で転送を要求された電子メール（以下、デマンドメールという）に関してその内容を携帯電話へ転送する機能をもつシステム。
【発明の詳細な説明】
【０００１】
【発明の属する技術分野】
本発明は、インターネットに接続され、電子メールの送受信が可能な携帯電話を所持し、かつインターネット世界において１つまたは複数の電子メールアドレスを所有する利用者が、それら電子メールアドレスにて受信した電子メールを選別し、必要な電子メールだけを携帯電話に集約し利用可能とすることに関する。
【０００２】
【従来の技術】
インターネット世界における便利な道具に電子メールがある。電子メールを利用する際は、インターネット世界において、送信元は誰か、送信先は何処かを判別するために電子メールアドレスという利用者の住所が必要となる。この電子メールアドレスは、インターネットサービスプロバイダやインターネットに接続している企業毎に発行されるために、それらに属している１個人が複数の電子メールアドレス（以下、インターネット電子メールアドレスという）を持つことが可能で、実際複数のインターネット電子メールアドレスを所持している利用者は多い。
【０００３】
また最近では、携帯電話からもインターネットに接続が可能となり、携帯電話会社から割り当てられる電子メールアドレス（以下、携帯電話電子メールアドレスという）でインターネット世界との電子メールの送受信が可能となった。これによりインターネット電子メールアドレスで受信した電子メールを携帯電話電子メールアドレスへ転送して利用できるように、既に多くのインターネットサービスプロバイダが実施しているが、これらのサービスは、インターネットサービスプロバイダで受信した電子メールを、受信した都度単純に携帯電話電子メールアドレスへ転送する機能しか持ち合わせていない。
【０００４】
【発明が解決しようとする課題】
前述した単純なメール転送機能では、１個人が所有する１つまたは複数あるインターネット電子メールアドレスに電子メールが到着する度に携帯電話電子メールアドレスへの電子メールが発生する。これでは、受信した電子メールの必要・不必要にかかわらずすべての電子メールが携帯電話へ転送されることになる。利用者は、転送されてきたすべての電子メールを携帯電話で見ることになり、かつその接続料金は携帯電話の使用料として課金される。
【０００５】
【課題を解決するための手段】
本発明は、インターネット電子メールアドレスごとに携帯電話電子メールアドレスへ通知する時間帯と時間間隔が指定可能であり、指定された時間帯の時間間隔でインターネット電子メールアドレスに送信されてきた電子メールについて受信メール一覧リストとして編集し携帯電話電子メールアドレスへ電子メールにて通知する機能と受信メール一覧リスト電子メールへの返信メールで、受信メール一覧リストの中から必要とするデマンドメールの転送要求を可能とし、転送要求された電子メールをデマンドメールとして携帯電話電子メールアドレスに転送する機能を具備したシステムを開発することを最も主要な特徴とする。ただし、転送先として指定可能な電子メールアドレスは、携帯電話電子メールアドレスだけにこだわることはなく、インターネット電子メールアドレスも対象とする。
【０００６】
【発明の実施の形態】
インターネット世界に接続され、本発明を実現する電子メールサーバを構築する。その電子メールサーバ内に、次の３つの機能を具備するシステムを開発、インストールし稼動させる。
１　「利用者情報設定機能」とは、受信メール一覧を要求する利用者のインターネット電子メールアドレスや通知先である携帯電話電子メールアドレス、通知する時間帯や時間間隔など本発明を利用するに必要な利用者情報の設定機能である。
【０００７】
２　「受信メール一覧リスト作成・通知機能」とは、設定された利用者情報に従ってインターネット電子メールアドレスに送信されてきた電子メールの一覧リストを作成するために必要な情報である「受信者」「差出人」「メールのタイトル」「受信日時」等を入手、受信メール一覧リストとして編集し携帯電話電子メールアドレスへ電子メールで通知する機能である。
【０００８】
３　「デマンドメール転送機能」とは、受信メール一覧リストの返信メールにて転送要求された電子メールに関して、インターネット電子メールアドレスで受信した電子メールの中から要求された電子メールを入手し、デマンドメールとして携帯電話電子メールアドレスへ転送する機能である。さらに、携帯電話からデマンドメールの返信を受信した場合、その電子メールの送信元をデマンドメールとして編集する前に受信した電子メールの送信先電子メールアドレスに、送信先を編集前の電子メールの送信元である電子メールアドレスに換えて送信を行う機能を有する。これによって、返信メールを受信した側には、携帯電話から送信された電子メールが、あたかもインターネットサービスプロバイダや会社から送信されてきたかのようにみえるため、個人利用である携帯電話電子メールアドレスが返信先に知られたくない場合に有効である。
【０００９】
【実施例】
図１は、本発明の「利用者情報設定機能」に関するものである。インターネットに接続されている「電子メールサーバ」１で稼動しているシステム「利用者情報設定機能」２に、例えば会社で利用している「パソコン」７または所持している「携帯電話」８から「インターネット」６を介してアクセスし、私用で用いているプロバイダのインターネット電子メールアドレスと仕事で用いている会社のインターネット電子メールアドレスで受信した電子メールについて、それぞれ朝９：００から夜８：００まで１時間間隔で通知するよう設定した。設定した内容は、「ファイアウォール」３にてガードされた「データベースサーバ」４の「利用者データベース」５に格納される。「利用者データベース」５に登録されている利用者情報の更新は、いつでも可能とする。
【００１０】
図２は、本発明の「受信メール一覧リスト作成・通知機能」に関するものである。「電子メールサーバ」１で稼動するシステム「受信メール一覧リスト作成・通知機能」７は「利用者データベース」５に設定されている情報に従って動作し、午後１時「私用プロバイダの電子メールサーバ」１１と「会社の電子メールサーバ」１２にアクセスし、会社のインターネット電子メールアドレスで受信していた３件の電子メールについて「受信メール一覧リスト」１３として編集し、「携帯電話」８に電子メールで通知した。
【００１１】
図３は、本発明の「デマンドメール転送機能」に関するものである。「携帯電話」８に通知されてきた「受信メール一覧リスト」１３の中で内容をすぐに確認したい電子メールが存在したので、「返信メール」１４にて１件のメールの内容を要求した。「電子メールサーバ」１で稼動するシステム「デマンドメール転送機能」１０が動作し、即時に「会社の電子メールサーバ」１２にアクセスし、要求された１件の電子メールの本文を「デマンドメール」１５として「携帯電話」８に送信した。送信されてきた電子メールの内容を確認し、１件について回答が必要なため携帯電話から「電子メールサーバ」１へ「デマンドメール」１５の返信を行った。
【００１２】
電子メールサーバ１にある「デマンドメール転送機能」は、「デマンドメール」１５に対する返信メールの送信先を「会社の電子メールサーバ」１２で受信した電子メールの送信元であるインターネット電子メールアドレスに、送信元を会社で利用しているインターネット電子メールアドレスに編集し、電子メールの送信を行った。
【００１３】
【発明の効果】
本発明では、インターネット電子メールアドレスごとに携帯電話電子メールアドレスへ通知する時間帯と時間間隔の指定が可能であり、指定された時間帯において指定された時間間隔でインターネット電子メールアドレス毎の受信メール一覧リストが携帯電話電子メールアドレスへ電子メールとして通知される。この場合、インターネット電子メールアドレスに受信メールがない場合は通知されることはない。利用者は、携帯電話電子メールアドレスへ送信されてきた受信メール一覧リストを見ることで、インターネット電子メールアドレスで受信した電子メールが必要か不必要かの判断が可能であり、必要な電子メールの本文を携帯電話電子メールアドレスに転送要求するができる。そして、転送要求をされたデマンドメールだけが携帯電話電子メールアドレスに送信されることになり、携帯電話で受信することができる。これによって、インターネット電子メールアドレスにて受信した電子メールすべてが携帯電話に転送されることがなくなり、携帯電話の使用料金を軽減することができる。
【００１４】
さらに、インターネット電子メールアドレスに送信されてきた電子メールをデマンドメールとして携帯電話で受信した場合、それに対する返信メールの送信元アドレスをインターネット電子メールアドレスに編集することができるため、携帯電話電子メールアドレスを返信先に知られないようにすることが可能である。このことは、仕事で用いるパソコンやＰＤＡを携帯することなく、プライベートで用いている携帯電話であっても、仕事で用いているインターネット電子メールアドレスで電子メールの交換が可能であり、携帯電話の特性である時間・場所・距離を選ばない電子メールコミュニケーションゆえに、ビジネスチャンスをとらえる可能性が高くなる。
【図面の簡単な説明】
【図１】利用者情報設定機能
【図２】受信メール一覧リスト作成・通知機能
【図３】デマンドメール転送機能
【符号の説明】
１　電子メールサーバ
２　利用者情報設定機能
３　ファイアウォール
４　データベースサーバ
５　利用者データベース
６　インターネット
７　パソコン
８　携帯電話
９　受信メール一覧リスト作成・通知機能
１０　デマンドメール転送機能
１１　私用プロバイダの電子メールサーバ
１２　会社の電子メールサーバ
１３　受信メール一覧リスト例
１４　受信メール一覧リスト返信メール例
１５　デマンドメール例
【図１】
2004070855.tif 000003
【図２】
2004070855.tif 000004
【図３】
2004070855.tif 000005